(57)【特許請求の範囲】
【請求項１】
空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部を前記フィン部の下部に隣接させると共に、該空間部の高さを前記フィン部の高さの１／５より大きくかつ該フィン部の高さ以下に構成したことを特徴とする冷凍冷蔵庫。
【請求項２】
空間部をフィン部の下部に隣接させたことに代えて、該空間部を前記フィン部の上部に隣接させたことを特徴とする請求項１記載の冷凍冷蔵庫。
【請求項３】
空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部を前記フィン部の上部及び下部に隣接させると共に、該上部及び下部の空間部の高さの和を前記フィン部の高さの１／５より大きくかつ該フィン部の高さ以下に構成したことを特徴とする冷凍冷蔵庫。
【請求項４】
空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部の高さを前記フィン部の高さの１／５より大きくかつ該フィン部の高さ以下に構成すると共に、前記フィン部の前記空間部と隣接する側の伝熱面積を広くしたことを特徴とする冷凍冷蔵庫。
【請求項５】
空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部の高さを前記フィン部の高さの１／５より大きくかつ該フィン部の高さ以下に構成すると共に、前記ファンに近くなるほど前記フィン部の間隔を狭くしたことを特徴とする冷凍冷蔵庫。
【請求項６】
フィン部に切り起こしを設けたことを特徴とする請求項１乃至請求項５のいずれかに記載の冷凍冷蔵庫。
【請求項７】
密閉容器内に、駆動源とこれによって駆動される圧縮機構部、冷媒を吸い込む吸入管、及び前記圧縮機構部によって圧縮された冷媒を吐出する吐出管を備え、前記密閉容器内を吐出圧力に保持した高圧シェルタイプの圧縮機を設けたことを特徴とする請求項１乃至請求項６のいずれかに記載の冷凍冷蔵庫。
【請求項８】
凝縮器と圧縮機を対向して配設し、ファンを前記圧縮機の横方向に設けて空気流を前記凝縮器の正面からファンを介して前記圧縮機の側面に流すようにしたことを特徴とする請求項１乃至請求項７のいずれかに記載の冷凍冷蔵庫。
【請求項９】
ファンをプロペラファン又は多翼ファンとしたことを特徴とする請求項８記載の冷凍冷蔵庫。
【請求項１０】
凝縮器と圧縮機を対向して配設しこれらの間にファンを設けて空気流を前記凝縮器の正面からファンを介して前記圧縮機の正面に流すようにしたことを特徴とする請求項１乃至請求項７のいずれかに記載の冷凍冷蔵庫。
【請求項１１】
ファンをクロスフローファンとしたことを特徴とする請求項１０記載の冷凍冷蔵庫。
【発明の詳細な説明】
【０００１】
【発明の属する技術分野】
本発明は、冷凍冷蔵庫に係り、より詳しくは、熱交換量が増大し性能も向上した冷凍冷蔵庫に関するものである。
【０００２】
【従来の技術】
図１３は従来の冷凍冷蔵庫の本体下部の一例を示す縦断面である。図に示すように、凝縮器２は、伝熱管９を貫通させてこれを支持するフィン部７（高さｈ）とその下方に隣接する空間部８（高さＡ）とによって形成され、これらにより風路を構成している。このとき、空間部８の高さＡは例えばフィン部７の高さｈの１／５程度に構成されている。
そして、空気がフィン部７と空間部８からなる風路を通過して、凝縮器２内の冷媒と熱交換を行う。
【０００３】
【発明が解決しようとする課題】
上記のように構成した冷凍冷蔵庫の凝縮器２によれば、空気が通過できる部分はフィン部７の高さの１／５程度しかないので、空気の圧力損失が大きく空気流量が少なくなって、フィン部７における熱交換量が減少する。このため、フィン部７から流出していく空気温度が上昇して圧縮機を有効に冷却することができない。また、空間部８が低いためフィン部７に埃が詰まって閉塞し、空気が流れにくくなってフィン部７の性能が著しく低下する。
【０００４】
本発明は上記のような課題を解決するためになされたもので、空気の圧力損失を抑えて空気の流量を増し、熱交換量を増大させると共に性能を向上させることができる凝縮器を備えた冷凍冷蔵庫を得ることを目的とする。
【０００５】
【課題を解決するための手段】
本発明にかかる冷凍冷蔵庫は、次のように構成したものである。
（１）  空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部を前記フィン部の下部に隣接させると共に、該空間部の高さを前記フィン部の高さの１／５より大きくかつ該フィン部の高さ以下に構成した。
（２）  上記（１）の冷凍冷蔵庫において、空間部をフィン部の下部に隣接させたことに代えて、該空間部を前記フィン部の上部に隣接させた。
【０００６】
（３）  空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部を前記フィン部の上部及び下部に隣接させると共に、該上部及び下部の空間部の高さの和を前記フィン部の高さの１／５より大きくかつ該フィン部の高さ以下に構成した。
（４）  空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部の高さを前記フィン部の高さの１／５より大きくかつ該フィン部の高さ以下に構成すると共に、前記フィン部の前記空間部と隣接する側の伝熱面積を広くした。
【０００７】
（５）  空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部の高さを前記フィン部の高さの１／５より大きくかつ該フィン部の高さ以下に構成すると共に、前記ファンに近くなるほど前記フィン部の間隔を狭くした。
【０００８】
（６）  上記（１）乃至（５）のいずれかの冷凍冷蔵庫において、フィン部に切り起こしを設けて空気の流れを乱し伝熱を促進するようにした。
（７）  上記（１）乃至（６）のいずれかの冷凍冷蔵庫において、密閉容器内に、駆動源とこれによって駆動される圧縮機構部、冷媒を吸い込む吸入管、及び圧縮機構部によって圧縮された冷媒を吐出する吐出管を備え、密閉容器内を吐出圧力に保持した高圧シェルタイプの圧縮機を設けた。
【０００９】
（８）  上記（１）乃至（７）のいずれかの冷凍冷蔵庫において、凝縮器と圧縮機を対向して配設し、冷却用のファンを圧縮機の横方向に設けて空気流を凝縮器の正面からファンを介して圧縮機の側面に流すようにした。
（９）  上記（８）の冷凍冷蔵庫において、ファンをプロペラファン又は多翼ファンとした。
【００１０】
（１０）  上記（１）乃至（７）のいずれかの冷凍冷蔵庫において、凝縮器と圧縮機を対向して配設しこれらの間にファンを設けて空気流を凝縮器の正面からファンを介して圧縮機の正面に流すようにした。
（１１）  上記（１０）の冷凍冷蔵庫において、ファンをクロスフローファンとした。
【００１１】
【発明の実施の形態】
実施の形態１
図１は冷凍冷蔵庫の一例を示す正面図であり、図２は図１で示した冷凍冷蔵庫のＡ−Ａ断面図、図３は図２のＢ−Ｂ断面図である。図に示すように、１は冷凍冷蔵庫の本体底部であり、２，３，４はそれぞれ本体底部１に取り付けた凝縮器、冷却用のプロペラファン及び圧縮機である。
【００１２】
より詳しくは、凝縮器２の後側（図２の上側）に圧縮機４が配設され、圧縮機４の側方（図２の左側）には冷却用のプロペラファン３が配設され、凝縮器２と圧縮機４の間は隔壁５によって仕切られている。６ａはプロペラファン３の上流側に設けた空気導入口であり、６ｂは圧縮器３の下流側に設けた空気流出口である。
こうして、凝縮器２を通過した空気流はプロペラファン３の方向に流れ、空気導入口６ａから入る空気流と一体となって圧縮機４方向に向かい、空気流出口６ｂから外部に流出するようになっている。
【００１３】
次に、凝縮器２について詳述すると、本体底面１ａを有し前後方向（図２の下から上への方向）に空気を通すための風路を形成し、この風路の上部は高さがｈで左右方向に交互に凹凸状をなし、伝熱面である上面ａと下面ｂが平面状で等面積のフィン部７によって構成され、風路の下部はフィン部７に隣接する高さＡの空間部８によって構成されている。そして、フィン部７には、両側端でＵ字状に折り曲げられて冷媒が流れる伝熱管９が凹凸部の側面１０を貫通した状態で取り付けられている。
上記のように構成した凝縮器２において、その空間部８の高さＡは、フィン部６の高さｈの１／５よりも大きく、フィン部６の高さｈ以下の大きさに形成されている。
【００１４】
図４は、凝縮器２の空間部８の高さＡと風量増加割合（％）、空間部８の高さＡと熱交換量増加割合（％）、空間部８の高さＡと凝縮器流出温度低下割合（％）の関係を示す説明図で、空間部８の高さＡを０からフィン部７の高さであるｈまでとって、同一のプロペラファンとファンモータを用いて試験をした結果を示すものである。
【００１５】
図からわかるように、空間部８の高さＡをフィン部７の高さｈの１／５よりも大きくフィン部７と同じ高さｈの大きさまでとるときは、空間部８の高さＡの大きさを０からフィン部７の高さｈの１／５の大きさまでとった従来技術の場合と比較して、フィン部７への空気流量が増加し、凝縮器２における熱交換量が増加する一方、凝縮器流出温度は低下する。従って、上述したように、本発明では、空間部８の高さＡを、フィン部７の高さｈの１／５よりも大きくフィン部７の高さｈまでの大きさとした。
【００１６】
上記のように構成した実施の形態１の作用を説明する。空気はフィン部７と空間部８からなる凝縮器２の風路前方からイ方向に入り、フィン部７において伝熱管９と熱交換を行なって凝縮器２の後方から出る。この際、プロペラファン３に近い側の空気流はそのままロ方向に流れてプロペラファン３に向い、プロペラファン３から離れた側の空気流は隔壁５に沿ってハ方向に移動したのちプロペラファン３に向かう。そして、これらの空気流は空気導入口６ａからニ方向に流入する空気流と一体となってプロペラファン３から圧縮機４に向かってホ方向に流れ、圧縮機４を冷却して空気流出口６ｂからヘ方向に流出する。
【００１７】
なお、上記の説明において、フィン部７は交互に凹凸状をなしその上面ａと下面ｂが平面状である場合を示したが、波型形状やその他の形状であってもよい。また、プロペラファン３が図の左側に位置した場合を示したが、図の右側又は中央部に位置するようにしてもよい。
実施の形態１によれば、空間部８の高さＡをフィン部７の高さｈの１／５の大きさからフィン部７の高さｈまでの大きさに構成したので、フィン部７の空気流量が増加して凝縮器２の熱交換量が増大し流出温度が低下するので、圧縮機４を十分に冷却することができる。また、凝縮器２の空間部８が広くなるので、若し、フィン部７に埃が詰まったとしても空気の流量が低下せず、凝縮器２の性能低下が抑えられて信頼性が向上する。
【００１８】
実施の形態２
図５は図１の冷凍冷蔵庫を図２のＢ−Ｂ方向に切断した縦断面である。実施の形態１では空間部８の上部にフィン部７を設けて凝縮器２を構成したが、実施の形態２では、フィン部７の上部に空間部８を設けて凝縮器２を構成したものである。この場合、空間部８の高さＡは、凝縮器２のフィン部７の高さｈの１／５の大きさからフィン部７の高さｈまでの大きさになるようにしてある。その他の、構成、作用、効果は実施の形態１で示した場合と同様なので、説明を省略する。
【００１９】
実施の形態３
図６は図１の冷凍冷蔵庫を図２のＢ−Ｂ方向に切断した縦断面である。実施の形態１では空間部８の上部にフィン部７を設けて凝縮器２を構成したが、実施の形態３では、フィン部７の上部及び下部に空間部８ａ，８ｂを設けて凝縮器２を構成したものである。この場合、空間部８の高さＡは、フィン部７の上部と下部に設けた各々の空間部８ａ，８ｂの高さＡ１とＡ２の和となり、この高さＡが凝縮器２のフィン部７の高さｈの１／５の大きさからフィン部７の高さｈまでの大きさになるようにしてある。その他の、構成、作用、効果は実施の形態１で示した場合と同様なので、説明を省略する。
【００２０】
実施の形態４
図７は図１の冷凍冷蔵庫を図２のＢ−Ｂ方向に切断した縦断面である。実施の形態１ではフィン部７の伝熱面である上下面ａ，ｂを等面積にして左右に等間隔に配設し、その下部に空間部８を設けて凝縮器２を構成したが、実施の形態４では、フィン部７の下面ｂの面積を広くし上面ａの面積を狭くして左右に等間隔に配設し、その下部に空間部８を設けて凝縮器２を構成したものである。このとき、空間部８の高さＡは、フィン部７の高さｈの１／５の大きさからフィン部７の高さｈまでの大きさになるようにしてある。その他の、構成、作用は実施の形態１で示した場合と同様なので、説明を省略する。
実施の形態４によれば、空間部８に接するフィン部７の伝熱面である下面ｂを広くしたので、フィン部７の伝熱が促進されて熱交換量が増大する。
【００２１】
実施の形態５
図８は図１の冷凍冷蔵庫をＡ−Ａ方向に切断した断面図である。実施の形態１ではフィン部７の上下面ａ，ｂを等面積にして左右に等間隔に配設し、その下部に空間部８を設けて凝縮器２を構成したが、実施の形態８ではフィン部７の上下面ａ，ｂの伝熱面積と間隔を風路圧損に合わせて調整したものである。
すなわち、プロペラファン３に近付くほど（図の左側にいくほど）、フィン部７の上下面ａ，ｂの面積を狭くしてフィン部７の間隔が狭くなるように形成し、プロペラファン３から遠ざかるほど（図の右側にいくほど）、上下面ａ，ｂの面積を広くしフィン部７の間隔が広くなるように形成して、このフィン部７の下部に空間部８を設けて凝縮器２を構成したものである。
【００２２】
このとき、空間部８の高さＡは、フィン部７の高さｈの１／５の大きさからフィン部７の高さｈまでの大きさになるようにしてある。その他の、構成、作用は実施の形態１で示した場合と同様なので、説明を省略する。
なお、上記の説明ではプロペラファン３が図の左側に位置した場合について示したが、図の右側又は中央部近傍に位置した場合も同様に、プロペラファン３に近付くほどフィン部７の上下面ａ，ｂの面積を狭くし間隔が狭くなるように形成すればよい。
【００２３】
実施の形態５によれば、フィン部７の上下面ａ，ｂの面積と間隔を風路圧損に合わせて調整したので、フィン部７内を通過する空気量が各フィン部７間で均一になり、凝縮器２全体の効率が上昇する。
【００２４】
実施の形態６
図９は図１の冷凍冷蔵庫を図２のＢ−Ｂ方向に切断した縦断面図である。実施の形態１では空間部８の上部にフィン部７を設けて凝縮器２を構成したが、実施の形態６では、フィン部７に切り起こしを設けたものである。
【００２５】
１１，１２は凝縮器２のフィン部７の上下面ａ，ｂに設けた切り起こしで、フィン部７の上面ａの下側（空間部８側）と下面ｂの上下両側（空間部８側及びその反対側）に設けたものである。その他の、構成、作用は実施の形態１で示した場合と同様なので、説明を省略する。
実施の形態６によれば、凝縮器２のフィン部７の上下面ａ，ｂに切り起こし１１，１２を設けたので、空気の流れが乱されて空気とフィン部７の伝熱面によって形成される温度境界層が破壊され、伝熱が促進され凝縮器２全体の熱交換量が増大する。
【００２６】
実施の形態７
図１０は図１の冷凍冷蔵庫をＡ−Ａ方向に切断した断面図である。実施の形態７では、実施の形態１で示した圧縮機４に高圧シェルタイプの圧縮機４ａを用いたものである。
４ａは高圧シェルタイプの圧縮機で、密閉容器内に、駆動源とこれによって駆動される圧縮機構部、冷媒を吸い込む吸入管、及び圧縮機構部によって圧縮された冷媒を吐出する吐出管を有しており、この密閉容器内が吐出圧力に保持されている。その他の、構成、作用は実施の形態１で示した場合と同様なので、説明を省略する。
【００２７】
実施の形態７によれば、凝縮器２における空気流量が増加し流出温度が低下するので、空気流によって圧縮機４ａを効率よく冷却することができる。
【００２８】
実施の形態８
図１１は図１の冷凍冷蔵庫をＡ−Ａ方向に切断した断面図である。実施の形態１では冷却用のファンとしてプロペラファン３を用いたが、実施の形態８ではプロペラファンの代わりに多翼ファン３ａを用いたものである。その他の、構成、作用は実施の形態１で示した場合と同様なので、説明を省略する。
実施の形態８によれば、凝縮器２の伝熱が促進されて凝縮器２全体の熱交換量が増大する。
【００２９】
実施の形態９
図１２は図１の冷凍冷蔵庫をＡ−Ａ方向に切断した断面図である。実施の形態１では冷却用のファンとしてプロペラファン３を圧縮機４の横の上流側に設けたが、実施の形態９では冷却用のファンとしてクロスフローファンを用いると共に、その取り付け位置を変えて隔壁５を取り外したものである。
３ｂは凝縮器２と圧縮機４の間に配設されたクロスフローファンで、凝縮器２のフィン部７の配向とほぼ直角になるように配設され、凝縮器２から出てきた空気流を圧縮機４の正面から背面方向に流すようにしてある。
なお、１３ａ，１３ｂは圧縮機４の両側後方の本体底部１に設けた空気流出口である。
【００３０】
上記のように構成した実施の形態９の作用を説明する。空気は凝縮器２の正面からイ方向に入り込み、フィン部７の冷媒と熱交換を行なって凝縮器２の背面からそのままクロスフローファン３ｂのあるト方向に流れ、圧縮機４を冷却して空気流出口１３ａ，１３ｂからチ方向に流出する。その他の、構成、作用は実施の形態１で示した場合と同様なので、説明を省略する。
【００３１】
なお、上記の説明では、凝縮器２と圧縮機４の間にクロスフローファン３ｂを設けたが、この位置の中央部近傍にプロペラファン３又は多翼ファン３ａを設けて、凝縮器２の正面から入った空気流をこれらのファン３，３ａを介してそのまま後方の圧縮機４に当てるようにしてもよい。
実施の形態９によれば、凝縮器２の全ての部分に渡って空気の圧力損失が生じないので、空気の流れが良好になり伝熱が促進されて凝縮器２全体の熱交換量が増大し、圧縮機４の放熱性能も向上する。
【００３２】
【発明の効果】
以上の説明から明らかなように、本発明にかかる冷凍冷蔵庫によれば、次のような効果を得ることができる。なお、説明に当たっては、請求項の番号と同じ番号を付してそれぞれの請求項の効果を記述する。
【００３３】
（１）  空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部を前記フィン部の下部に隣接させると共に、該空間部の高さを前記フィン部の高さの１／５より大きくかつ該フィン部の高さ以下に構成したので、空気の圧力損失を抑えフィン部への空気流量を増加させて、凝縮器における熱交換量を増大させることができる。また、凝縮器の空間部が大きくなるため、フィン部に埃が詰まったときでも空気の流れを確保して、フィン部の性能低下を抑えることができるので、信頼性を高めることができる。
【００３４】
（２）  上記（１）の空間部をフィン部の下部に隣接させたことに代えて、前記空間部を前記フィン部の上部に隣接させたので、上記（１）と同様の効果を得ることができる。
【００３５】
（３）  空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部を前記フィン部の上部及び下部に隣接させると共に、該上部及び下部の空間部の高さの和を前記フィン部の高さの１／５より大きくかつ該フィン部の高さ以下に構成したので、上記（１）と同様の効果を得ることができる。
【００３６】
（４）  空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部の高さを前記フィン部の高さの１／５より大きくかつ該フィン部の高さ以下に構成すると共に、前記フィン部の前記空間部と隣接する側の伝熱面積を広くしたので、フィン部の伝熱が促進され、熱交換量をさらに増大させることができる。
【００３７】
（５）  空気をファンによって凝縮器から圧縮機に送って該圧縮機等を冷却する冷凍冷蔵庫において、伝熱管を貫通させて支持するフィン部と該フィン部に隣接する空間部とからなる風路によって前記凝縮器を形成し、前記空間部の高さを前記フィン部の高さの１／５より大きくかつ該フィン部の高さ以下に構成すると共に、前記ファンに近くなるほど前記フィン部の間隔を狭くしたので、各フィン部内を通過する空気の流量が各フィン部において均一になり、フィン部全体の熱交換量をさらに増大させることができる。
【００３９】
（６）  上記（１）乃至（５）のいずれかのフィン部に切り起こしを設けたので、空気の流れを乱して空気とフィン部の伝熱面とで形成される温度境界相を破壊するため、伝熱が促進され、フィン部全体の熱交換量をさらに増大させることができる。
【００４０】
（７）  上記（１）乃至（６）のいずれかの冷凍冷蔵庫であって、密閉容器内に、駆動源とこれによって駆動される圧縮機構部、冷媒を吸い込む吸入管、及び圧縮機構部によって圧縮された冷媒を吐出する吐出管を備え、この密閉容器内が吐出圧力に保持した高圧シェルタイプの圧縮機を備えたので、凝縮器での空気流量の増加及び流出温度の低下による冷却空気で圧縮機を冷却することができる。
【００４１】
（８）  上記（１）乃至（７）のいずれかの冷凍冷蔵庫であって、凝縮器と圧縮機を対向して配設し、ファンを圧縮機の横方向に設けて空気流を凝縮器の正面からファンを介して圧縮機の側面に流すようにしたので、伝熱が促進されてフィン部全体の熱交換量を増大させることができる。
【００４２】
（９）  上記（８）の冷凍冷蔵庫であって、ファンをプロペラファン又は多翼ファンとしたので、空気の流れを乱して空気とフィン部の伝熱面とで形成される温度境界相を破壊するため、伝熱が促進されてフィン部全体の熱交換量をさらに増大させることができる。
【００４３】
（１０）  上記（１）乃至（７）のいずれかの冷凍冷蔵庫であって、凝縮器と圧縮機を対向して配設しこれらの間にファンを設けて空気流を凝縮器の正面からファンを介して圧縮機の正面に流すようにしたので、伝熱が促進されてフィン部全体の熱交換量を増大させることができ、圧縮機の放熱性能も向上する。
【００４４】
（１１）  上記（１０）の冷凍冷蔵庫であって、ファンをクロスフローファンとしたので、空気の流れを乱して空気とフィン部の伝熱面とで形成される温度境界相を破壊するため、伝熱が促進されてフィン部全体の熱交換量をさらに増大させることができ、圧縮機の放熱性能も向上する。
【図面の簡単な説明】
【図１】冷凍冷蔵庫の一例を示す正面図である。
【図２】図１のＡ−Ａ断面図に相当する実施の形態１の説明図である。
【図３】図２のＢ−Ｂ断面図である。
【図４】空間の高さと風量増加割合等との関係を示す説明図である。
【図５】実施の形態２の要部を示す説明図である。
【図６】実施の形態３の要部を示す説明図である。
【図７】実施の形態４の要部を示す説明図である。
【図８】実施の形態５の説明図である。
【図９】実施の形態６の要部を示す説明図である。
【図１０】実施の形態７の説明図である。
【図１１】実施の形態８の説明図である。
【図１２】実施の形態９の説明図である。
【図１３】従来の冷凍冷蔵庫の要部の一例を示す説明面である。
【符号の説明】
２  凝縮器、３，３ａ，３ｂ  ファン、４，４ａ  圧縮機、７  フィン部、８，８ａ，８ｂ  空間部、９  伝熱管、１１，１２  切り起こし。
【図１】
0003603174.tif 000002
【図２】
0003603174.tif 000003
【図３】
0003603174.tif 000004
【図４】
0003603174.tif 000005
【図５】
0003603174.tif 000006
【図６】
0003603174.tif 000007
【図７】
0003603174.tif 000008
【図８】
0003603174.tif 000009
【図９】
0003603174.tif 000010
【図１０】
0003603174.tif 000011
【図１１】
0003603174.tif 000012
【図１２】
0003603174.tif 000013
【図１３】
0003603174.tif 000014